(57)【要約】【課題】  揺動選別装置の分配供給樋おいて、藁屑類と穀粒と分離選別し藁屑類だけを機外へ排出する。【解決手段】  揺動選別板（１５，…）の後側の供給側（１５ａ）上方に一体的に設けられている分配供給樋（１６）で混合米を揺動選別板（１５，…）に分配供給するように構成し、分配供給樋（１６）には穀粒を漏下し藁屑類を右側の揺上側（１５ｃ）に移送する選別移送板（３１）を設ける。選別移送体（３１）の移送終端部の右側に藁屑類貯溜室（３２）を設け、分配供給樋（１６）には揺動選別板（１５，…）の揺動方向である左右方向に対して交叉する前後方向に開口している藁屑類排出用の藁屑類排出口（１６ａ）を設ける。【選択図】図２
2011218262.tif 000002
【特許請求の範囲】
【請求項１】
揺動選別板（１５）を前後方向及び左右方向共に傾斜させて配設し、揺動選別板（１５）を左右方向斜め上下の往復揺動をさせて混合米を籾と玄米とに分離選別する揺動選別装置において、前記揺動選別板（１５）の供給側（１５ａ）の上方に一体的に設けられている渡し樋（１６）で混合米タンク（２４）からの混合米を受けて前記揺動選別板（１５）に供給するように構成し、前記渡し樋（１６）には穀粒を漏下し藁屑類を移送する選別移送板（３１）を設け、前記選別移送板（３１）の移送終端側には藁屑類貯溜室（３２）を設け、該藁屑類貯溜室（３２）の後側には藁屑類排出口（１６ａ）を設けたことを特徴とする揺動選別装置。
【請求項２】
請求項３の発明は、請求項１の発明において、前記選別移送板（３１）を穀粒の漏下する多孔板（３１ａ）で構成し、この多孔板（３１ａ）を移送終端側に向けて斜め下り傾斜に構成し、多孔板（３１ａ）の移送終端側に前記藁屑類貯溜室（３２）を設け、前記藁屑類貯溜室（３２）には穀粒戻し樋（３２ａ）を設け、該穀粒戻し樋（３２ａ）には前側が高く前記藁屑類排出口（１６ａ）に近づく後側ほど低くなる傾斜面を形成したことを特徴とする揺動選別装置の藁屑類排出装置。
【発明の詳細な説明】
【技術分野】
【０００１】
この発明は、揺動選別装置に関するものである。
【背景技術】
【０００２】
混合米タンクの混合米を揺動選別板の上方に一体的に設けられている渡し樋に供給し、分配ケースを経て揺動選別板に供給する籾摺選別機において、渡し樋に設けた選別移送体により穀粒と藁屑類とを分離選別し、選別移送体で分離した藁屑類を渡し樋から排出するようにしたものは、公知である（特許文献１）。
【先行技術文献】
【特許文献】
【０００３】
【特許文献１】特開２００３−５３２７３号公報
【発明の概要】
【発明が解決しようとする課題】
【０００４】
背景技術のものでは、選別移送体で分離した藁屑類を揺動選別板の揺上側への揺動方向に移送し渡し樋の開口部から排出する構成である。従って、揺動選別作業を一旦停止した後に再開すると、再起動時の揺動作用により渡し樋の開口部から藁屑類と一緒に穀粒が排出される不具合が発生し、清掃作業が煩わしく、また、機体内に穀粒を残しておくと、ねずみが住みつくような不具合が発生することがあった。
【０００５】
そこで、本発明は、渡し樋から藁屑類と共に穀粒が排出されるのを防止し、このような不具合を解消しようとするものである。
【課題を解決するための手段】
【０００６】
この発明は、このような従来技術のもつ問題点を解決するために、次の技術的手段を講じた。
請求項１の発明は、揺動選別板（１５）を前後方向及び左右方向共に傾斜させて配設し、揺動選別板（１５）を左右方向斜め上下の往復揺動をさせて混合米を籾と玄米とに分離選別する揺動選別装置において、前記揺動選別板（１５）の供給側（１５ａ）の上方に一体的に設けられている渡し樋（１６）で混合米タンク（２４）からの混合米を受けて前記揺動選別板（１５）に供給するように構成し、前記渡し樋（１６）には穀粒を漏下し藁屑類を移送する選別移送板（３１）を設け、前記選別移送板（３１）の移送終端側には藁屑類貯溜室（３２）を設け、該藁屑類貯溜室（３２）の後側には藁屑類排出口（１６ａ）を設けたことを特徴とする揺動選別装置とする。
【０００７】
請求項２の発明は、請求項１の発明において、前記選別移送板（３１）を穀粒の漏下する多孔板（３１ａ）で構成し、この多孔板（３１ａ）を移送終端側に向けて斜め下り傾斜に構成し、多孔板（３１ａ）の移送終端側に前記藁屑類貯溜室（３２）を設け、前記藁屑類貯溜室（３２）には穀粒戻し樋（３２ａ）を設け、該穀粒戻し樋（３２ａ）には前側が高く前記藁屑類排出口（１６ａ）に近づく後側ほど低くなる傾斜面を形成したことを特徴とする揺動選別装置の藁屑類排出装置とする。
【発明の効果】
【０００８】
請求項１の発明によると、藁屑類貯溜室（３２）の後側に藁屑類排出口（１６ａ）を設けたことで、渡し樋（１６）内の選別移送板（３１）で穀粒から分離選別した藁屑類を、渡し樋（１６）における左右方向の揺動方向に対して交叉する方向に排出するようにしたので、揺動選別板（１５）の再起動時に生じる左右方向への揺動時にも藁屑類排出口（１６ａ）から穀粒の排出を防止しながら藁屑類を排出することができる。
【０００９】
請求項２の発明は、請求項１の発明の前記効果に加えて、選別移送板（３１）を穀粒の漏下する多孔板（３１ａ）で構成し、多孔板（３１ａ）の移送終端側を斜め下り傾斜に構成し、多孔板（３１ａ）の移送終端側に設けている藁屑類貯溜室（３２）には穀粒戻し樋（３２ａ）を設け、穀粒戻し樋（３２ａ）には前側が高く後側ほど低くなる傾斜面を構成したので、藁屑類貯溜室（３２）の藁屑類の後側への移動を円滑にし、藁屑類排出口（１６ａ）から藁屑類を円滑に排出することができる。
【図面の簡単な説明】
【００１０】
【図１】籾摺選別機の全体側面図。
【図２】混合米選別部の斜視図。
【図３】渡し樋の背面図。
【図４】渡し樋の側面図。
【図５】混合米選別部の斜視図。
【図６】混合米選別部の斜視図。
【図７】混合米選別部の斜視図。
【図８】混合米選別部の正面図、選別移送板の斜視図。
【図９】渡し樋の正面図。
【図１０】渡し樋の正面図。
【図１１】渡し樋の正面図、側面図。
【発明を実施するための形態】
【００１１】
以下、図面に示すこの発明の実施例について説明する。
まず、図１に基づきこの発明を具備する籾摺選別機の全体構成について説明する。
籾摺選別機は、籾摺部１と、摺落米を風選する摺落米風選部２と、風選後の混合米を籾・玄米に分離選別する揺動型混合米選別部３と、摺落米風選部２の混合米を混合米選別部３に揚穀する混合米揚穀機４と、混合米選別部３の選別玄米を機外へ取り出す玄米揚穀機５等により構成している。
【００１２】
籾摺部１は、籾ホッパ６，籾摺ロ−ル７を内装している籾摺室８等で構成し、籾ホッパ６には籾シャッタ４０を設けている。籾摺落米風選部２は、摺落米風選箱体９，摺落米風選路１０，粃受樋１１，摺落米受樋１２，吸引フアン１３，排塵筒１４等で構成している。
【００１３】
次に、揺動選別板１５を備えた混合米選別部３について説明する。
揺動選別板１５の板面には選別用の凹凸を形成し、図２に示すように、前後方向の後側を高い供給側１５ａとし、前側を低い排出側１５ｂとし、左右方向の右側を高い揺上側１５ｃとし、左側を低い揺下側１５ｄとして、揺動選別板１５の前後方向及び左右方向を共に傾斜した構成とし、揺動選別板１５を揺動装置１５ｅ，１５ｅにより、左右方向斜め上下に往復揺動するように構成している。
【００１４】
摺落米受樋１２に選別された混合米は、混合米揚穀機４により揚穀されて混合米タンク２４に供給され、更に、渡し樋１６及び分配ケース１７を経て、揺動選別板１５における供給側１５ａの揺下側１５ｄに供給される構成である。揺動選別板１５に供給された混合米は、粒形の大小，比重の大小，摩擦係数の大小等により分離選別され、比重の重い小形の玄米は揺上側１５ｃに偏流分布し、玄米に比較して大きく比重の軽い籾は揺下側１５ｄに偏流分布し、その中間部には分離されない籾・玄米の混合米が偏流分布しつつ選別される。このように選別された穀粒は、揺動選別板１５の排出側１５ｂに対向して設けている玄米仕切板１８及び籾仕切板１９により仕切られて取り出される構成である。
【００１５】
玄米仕切板１８により仕切られて取り出された選別玄米は、玄米取出樋２０，玄米流路２１，玄米揚穀機５を経て機外に取り出される。また、玄米仕切板１８と籾仕切板１９により仕切られて取り出された選別混合米は、混合米取出樋２２，混合米流路２３を経て摺落米受樋１２に流入し、次いで、混合米揚穀機４で揚穀され、混合米タンク２４，渡し樋１６，分配ケース１７を経由して、揺動選別板１５に供給され再選別される。また、籾仕切板１９で仕切られた選別籾は籾取出樋２５に取り出され、籾流路２６，籾揚穀機２７を経由して籾摺部１に揚穀還元され、再度籾摺される構成である。
【００１６】
次に、図２〜図４に基づき混合米選別部３の渡し樋１６に設けた穀粒と藁屑類との分離選別構成について説明する。
揺動選別板１５の後側の供給側１５ａ上方には渡し樋１６を一体的に設け、渡し樋１６には選別移送板３１を設け、選別移送板３１で藁屑類を除去した穀粒を均し弁５１で均し、分配ケース１７を経て各揺動選別板１５に均等に供給するように構成している。
【００１７】
この渡し樋１６は底板、前後側板、左右左側及び上板により偏平な箱型に構成し、この渡し樋１６を揺動選別板１５の後側である供給側１５ａにおける上方の右側の揺上側１５ｃから左側の揺下側１５ｄに左右方向全幅に跨がるように配設している。この渡し樋１６内の左右方向中間部から右側の揺上側１５ａに向けて選別移送板３１を配設している。この選別移送板３１は、右側の揺上側１５ｃを下位になるように下り傾斜に構成している。また、選別移送板３１の底面と、側面下部には穀粒が通過できる程度の孔３１ａを多数形成する。
【００１８】
しかして、選別移送板３１の傾斜上位側に穀粒が供給されると、孔３１ａから穀粒が漏下し、渡し樋１６の流下面に落下し、穀粒と藁屑類とを分離選別するようにしている。
また、渡し樋１６内には選別移送板３１の移送終端側の傾斜下位側に対向して藁屑類貯溜室３１を設けている。この藁屑類貯溜室３２を渡し樋１５の右側板に沿って前後方向に長く構成し、その長手方向が揺動選別板１５の揺動方向に対して交差する前後方向に沿うようにしている。また、渡し樋１６の後側板、すなわち藁屑類貯溜室３２の後端部には底板よりも少し高い位置に藁屑類排出口１６ａを構成している。
【００１９】
藁屑類貯溜室３２の底部には前後方向に沿わせて底面がＶ字型の穀粒戻し樋３２ａを設け、この穀粒戻し樋３２ａを前側の排出側１５ｂが高く後側の供給側１５ａが低くなる傾斜面に構成し、この穀粒戻し樋３２ａには左右方向に沿うように穀粒の漏下するスリット３２ｂを多数設け、穀粒戻し樋３２ａの後側端部を藁屑類排出口１６ａに臨ませている。
【００２０】
また、揺動選別板１５の供給側１５ａの後側面に藁屑類排出案内筒３３を一体的に取り付け、その上端部を藁屑類排出口１６ａに臨ませ、その下端部を下方に延長している。そして、揺動選別板１５の供給側１５ａ及び藁屑類排出案内筒３３の後側部を機体カバー３５により被覆している。機体カバー３５の下部には藁屑類排出樋３４を設け、藁屑類排出口１６ａから藁屑類排出案内筒３３を経て流下した藁屑類を藁屑類排出樋３４で受けるようにしている。
【００２１】
前記構成によると、渡し樋１６内における選別移送板３１の移送終端側に、穀粒戻し樋３２ａを備えた藁屑類貯溜室３２を配設し、この藁屑類貯溜室３２の長手方向を揺動選別板１５の揺動方向である左右方向に対して交差する前後方向に沿わせているので、揺動選別板１５の再起動時に生じる強い揺動作用時にも、藁屑類排出口１６ａから混合米が飛び出し難く、起動後、揺動が安定してから屑類案貯溜室３２の穀粒戻し樋３２ａに溜っている藁屑類を後側の藁屑類排出口１６ａから円滑に排出し、混合米を分配ケース１７に供給することができる。
【００２２】
また、揺動選別板１５の供給側１５ａの後側に藁屑類排出案内筒３３を配置しているので、左右方向に揺動している揺動選別板１５の供給側１５ａから後方に突出移動することがなく、藁屑類排出案内筒３３をコンパクトに纏めることができる。
【００２３】
次に、図５について説明する。渡し樋１６の後側板に、藁屑類排出口１６ａの形成されているプレート１６ｂを上下調節自在に取り付けるように構成し、藁屑類排出口１６ａを高く調節することにより、穀粒の藁屑類排出口１６ａからの飛散を抑制しながら、藁屑類を排出することができる。
【００２４】
次に、図６について説明する。
選別移送板３１上に藁屑類を右側の傾斜低位側で且つ前側に向けて案内するガイド板３７を設けている。選別移送板３１に対してガイド板３７の後側部を左側の傾斜高位側に、ガイド板３７の前側部を右側の傾斜低位側に位置するように平面視で傾斜させて配設し、ガイド板３７の下端部と選別移送板３１との間に間隙を形成し、穀粒及び藁屑類が通過するように構成し、この傾斜角度を緩急に調節可能に構成している。なお、このようなガイド板３７を複数設けてもよい。
【００２５】
前記構成によると、選別移送板３１上の穀粒及び藁屑類を渡し樋１６の藁屑類排出口１６ａから前側に遠く離れた位置に案内することができ、穀粒の藁屑類排出口１６ａからの飛散を抑制することができる。また、ガイド板３７により藁屑類を藁屑類貯溜室３２の穀粒戻し樋３２ａの前側の傾斜高位側に迅速に案内し、次いで、藁屑類を傾斜面に沿って後側の低位側に案内し、藁屑類排出口１６ａから円滑に排出することができる。
【００２６】
次に、図７について説明する。選別移送板３１上に藁屑類を右側の傾斜低位側の藁屑類排出口１６ａに案内するガイド板３７を設けている。このガイド板３７の前側部を選別移送板３１の右側の傾斜下位側の終端側近傍に位置させ、ガイド板３７の後側部を藁屑類貯溜室３２の穀粒戻し樋３２ａの上方を通り越して藁屑類貯溜室３２の右側端部に位置するように平面視で傾斜させて配設し、ガイド板３７の傾斜角度を調節可能に構成している。前記構成によると、左右方向の揺動運動により跳ね上げられた藁屑類を藁屑類排出口１６ａに案内し円滑に排出することができる。
【００２７】
次に、図８について説明する。
選別移送板３１の右側の傾斜下位側に対向して藁屑類貯溜室３２を設け、この藁屑類貯溜室３２の底部にＶ字型の溝を備えた穀粒戻し樋３２ａを設け、この穀粒戻し樋３２ａには藁屑類排出口１６ａに近づく後側ほど低くなる傾斜面を形成している。そして、この穀粒戻し樋３２ａには左右方向に沿うように穀粒の漏下するスリット３２ｂ，…を形成している。前記構成によると、揺動選別板１５の再起同時に、藁屑類貯溜室３２の穀粒戻し樋３２ａのスリット３２ｂ，…から穀粒を漏下して渡し樋１６に戻し、藁屑類と穀粒の分離を良好にしながら、藁屑類を藁屑類排出口１６ａから円滑に排出することができる。
【００２８】
次に、図９について説明する。
選別移送板３１の右側の傾斜下位側に対向して藁屑類貯溜室３２を設け、この藁屑類貯溜室３２には底部にＶ字型の溝を備えた穀粒戻し樋３２ａを設け、穀粒戻し樋３２ａには左右方向に沿うように穀粒の漏下するスリット３２ａ，…を形成する。そして、この藁屑類貯溜室３２の穀粒戻し樋３２ａの上方には右側から上方に屈曲して延出したガイド板４０を臨ませている。前記構成によると、揺動選別板１５の再起同時に、穀粒戻し樋３２ａのスリット３２ｂ，…から穀粒を漏下して渡し樋１６に戻し、藁屑類をガイド板４０で藁屑類貯溜室３２の穀粒戻し樋３２ａの傾斜低位側に案内し、穀粒と藁屑類との分離を良好にしながら、藁屑類を藁屑類排出口１６ａから円滑に排出することができる。
【００２９】
なお、図１０に示すように、前記ガイド板４０の先端部４０ａを下方へ曲げるように構成してもよい。
また、図１１に示すように、藁屑類貯溜室３２の穀粒戻し樋３２ａの底部上方に前記ガイド板４０を設けるにあたり、開閉蓋４１にガイド板４９を一体的に取り付け、開閉蓋４１とガイド板４９を渡し樋１６に一体的に着脱自在に取り付けるようにする。このようにすると、渡し樋１６から開閉蓋４１とガイド板４０を一緒に取り外すことができて、選別移送板３１や藁屑類貯溜室３２の清掃作業を容易に行なうことができる。
【符号の説明】
【００３０】
１      籾摺部
３      混合米選別部
１５      揺動選別板
１５ａ    供給側
１５ｂ    排出側
１５ｃ    揺上側
１５ｄ    揺下側
１６      渡し樋
１６ａ    藁屑類排出口
２４      混合米タンク
３１      選別移送板
３１ａ    多孔板
３２      藁屑類貯溜室
３２ａ    穀粒戻し樋
３３      藁屑類排出案内筒
３５      カバー
【図１】
2011218262.tif 000003
【図２】
2011218262.tif 000004
【図３】
2011218262.tif 000005
【図４】
2011218262.tif 000006
【図５】
2011218262.tif 000007
【図６】
2011218262.tif 000008
【図７】
2011218262.tif 000009
【図８】
2011218262.tif 000010
【図９】
2011218262.tif 000011
【図１０】
2011218262.tif 000012
【図１１】
2011218262.tif 000013